(57)【特許請求の範囲】
【請求項１】
頭部が内部に格納されて雄ねじ部が上面に突出し上方への抜脱が阻止されたボルトのスライド用溝が複数設けられ、該複数のスライド用溝がそれぞれ平行に形成された基台と、該基台のそれぞれのスライド用溝に設けられたボルトと、該ボルトの雄ねじ部に螺合するナットと、前記基台の上面に該上面のスライド用溝と直交する方向に平行に載置され、前記基台のそれぞれのスライド用溝に設けられたボルトの雄ねじ部の貫通孔が形成されるとともに、頭部が内部に格納されて雄ねじ部が上面に突出し上方への抜脱が阻止されたボルトのスライド用溝がそれぞれ形成されたスライド基盤と、該スライド基盤のスライド用溝に設けられたボルトと、該ボルトに螺合するナットと、前記基台の中央部に前記スライド基盤の厚さに合わせて形成された中央支持部と、からなることを特徴とする機器設置用構造体。
【請求項２】
前記基台に嵩上げ用基台を重合一体化するためのボルトの貫通孔を設けたことを特徴とする請求項１に記載の機器設置用構造体。
【請求項３】
前記基台を中央部において均等に２分割した状態で製造し、該基台を突き合わせて連結具により一体に形成したことを特徴とする請求項１又は２に記載の機器設置用構造体。
【請求項４】
前記各スライド用溝内にそれぞれガイドレールを埋設したことを特徴とする請求項1、２又は３に記載の機器設置用構造体。
【発明の詳細な説明】
【技術分野】
【０００１】
本発明は、空調機器のエアコン、省エネルギーを目的としたエコキュート（登録商標）やエネファーム、ソーラー発電ユニット、燃料電池などの様々な住宅付帯設備機器の屋外ユニットの支持及び固定に使用される機器設置用構造体に関する。
【背景技術】
【０００２】
従来、所定の設備を設置しようとする場所に配されて該設備を支持する設備基礎構造体において、前記所定の設備を設置しようとする場所に所定の間隔を以って略並列して配設される一対のベース部材と、前記ベース部材の上面に嵌合する嵌合凹部を両端部に有する水平連結部材とを有し、前記一対のベース部材に前記水平連結部材を結合させて前記所定の設備を支持するための基礎部分とする設備用基礎構造体が提案されている（特許第４９８２２１７号）。
【０００３】
この提案によれば、水平連結部材をベース部材に嵌合するように組み合わせてブロック状の設備用基礎構造体を構成することができ、従来の基礎構造体に比べて型枠にコンクリートを流しこむような作業は不要となり、型枠のコンクリートの養生のための時間なども短縮できる。したがって、工期の短縮化及び工程の簡略化を実現できる。また、水平連結部材は所要の強度の備えたコンクリートブロック材であり、量産なども可能であるため、現場でのコンクリートの品質の影響を受けずに架台の強度を保つことができる、とされている。
【０００４】
その他、底部に複数の取付部を有する設置物を載置するベース部と、前記ベース部の上面に沿って設けられた取付溝と、前記取付部を前記ベース部材の取付溝に固定する固定具と、を備え、前記ベース部は、錘となる充填物を充填する為の内部空間を有している設置物用基台が提案されている（特開２００５-２４０４７９号公報）。
【０００５】
この提案によれば、温水器等の設置物の設置に係る基礎構築作業の効率を向上させることができ、温水器等の設置物の設置に係るコストを極力少なくすることができる、とされる。
【先行技術文献】
【特許文献】
【０００６】
【特許文献１】特許第４９８２２１７号公報
【特許文献２】特開２００５-２４０４７９号公報
【発明の概要】
【発明が解決しようとする課題】
【０００７】
しかし、従来の前記提案では、それぞれの構造上、その上部に設置できる屋外ユニットの適用範囲に限界があり、一つの住宅付帯設備機器のために製造された屋外ユニットは、他の種類の住宅付帯設備機器の屋外ユニットの支持及び固定に対応できないという問題があった。また住宅付帯設備機器が同じでも、機器メーカー、さらに機種等によって適用範囲を超える場合には同一の屋外ユニットを使用することができず、それぞれの屋外ユニットに対応させて製造及び準備しなければならず経済的とは言えなかった。
【０００８】
本発明はかかる従来の問題点に着目してなされたものであり、その目的は、各種の屋外ユニットの設置のためにそれぞれの専用品を準備する必要がなく、前記の様々な住宅付帯設備機器の屋外ユニットの設置に使用でき、経済的であるとともに、設置作業を迅速に行うことができる機器設置用構造体を提供することを目的とする。
【課題を解決するための手段】
【０００９】
頭部が内部に格納されて雄ねじ部が上面に突出し上方への抜脱が阻止されたボルトのスライド用溝が複数設けられ、該複数のスライド用溝がそれぞれ平行に形成された基台と、該基台のそれぞれのスライド用溝に設けられたボルトと、該ボルトの雄ねじ部に螺合するナットと、前記基台の上面に該上面のスライド用溝と直交する方向に平行に載置され、前記基台のそれぞれのスライド用溝に設けられたボルトの雄ねじ部の貫通孔が形成されるとともに、頭部が内部に格納されて雄ねじ部が上面に突出し上方への抜脱が阻止されたボルトのスライド用溝がそれぞれ形成されたスライド基盤と、該スライド基盤のスライド用溝に設けられたボルトと、該ボルトに螺合するナットと、前記基台の中央部に前記スライド基盤の厚さに合わせて形成された中央支持部と、からなることを特徴とする機器設置用構造体。
【００１０】
前記構成の本発明では、好ましくは、前記基台が十分な強度を確保したコンクリート製とすることが好ましく、前記スライド基盤は鋼板製、コンクリートあるいは他の素材（たとえば、ファイバー補強高強度モルタル）を用いることができる。なお、前記基台のスライド用溝は二本以上であってもよい。
【００１１】
前記本発明の構成により、様々な住宅付帯設備機器の屋外ユニットの支持及び固定が可能である。
【００１２】
具体的には、前記基台に平行に形成されたスライド用溝にそれぞれ設けられた
ボルトは、頭部が内部に格納されて雄ねじ部が上面に突出させられており、前記スライド用溝に沿って自由に移動させることができる。
【００１３】
一方、前記基台の上面に該上面のスライド用溝と直交する方向に平行に載置したスライド基盤には、前記基台のそれぞれのスライド用溝に設けられたボルトの雄ねじ部の貫通孔が形成されている。
【００１４】
したがって、前記基台の上面に突出させられたボルトのそれぞれの雄ねじ部と基台の上面に載置したそれぞれのスライド基盤に形成された貫通孔とを適合させた後、雄ねじ部の先端にナットを螺合させることにより、前記スライド基盤を前記ボルトと一体にして前記基台に形成されたスライド用溝に沿って所定の位置に移動及びスライド基盤間の間隔を調整することができる。
【００１５】
その後、それぞれのボルトに螺合したナットを締め付けると、前記それぞれのボルトの頭部が前記基台に形成されたスライド用溝の内部の上面にそれぞれ押圧係止されて前記それぞれのスライド基盤が前記基台上の所定の位置に固定される。
【００１６】
したがって、それぞれのスライド基盤の間隔を屋外ユニットに設けられた脚部等の固定位置、例えば、前後方向位置に予め移動及び固定しておくことができる。
【００１７】
つぎに、前記それぞれのスライド基盤には、頭部が内部に格納されて雄ねじ部が上面に突出し上方への抜脱が阻止されたボルトのスライド用溝が形成されている。したがって、前記ボルトをそれぞれ屋外ユニットに設けられた脚部等の固定位置、例えば、左右方向位置に予め移動させることができる。
【００１８】
そして、前記移動させたボルトの雄ねじ部を屋外ユニットに設けられた脚部等と適合させて、該雄ねじ部にナットを螺合することにより前記屋外ユニットを定位置に容易に支持及び固定することができる。
なお、前記基台の中央部に、前記スライド基盤の厚さに合わせた高さの中央支持部を形成すると、屋外ユニットが大型且つ重量を有する場合に前記スライド基盤とともに屋外ユニットを効果的に支持することができる。
【００１９】
また、本発明にかかる機器設置用構造体は、前記基台に嵩上げ用基台を重合一体化するためのボルト貫通孔を適数設けることが好ましい（請求項２）。
【００２０】
前記構成により、必要に応じて、基台と嵩上げ用基台とを上下連結ボルト等によって重合一体化することが可能である。したがって、大型の屋外ユニットの耐震性を確保する場合、あるいは設置高さを調整する必要が生じた場合には基台に適数の嵩上げ用基台を重合一体化することが容易である。
【００２１】
また、本発明にかかる機器設置用構造体は、前記基台を中央部において均等に２分割した状態で製造し、該基台を突き合わせて連結具により一体に形成することができる（請求項３）。
【００２２】
前記構成により、大型及び重量を有する屋外ユニットに対応する大型の機器設置用構造体が必要な場合には、予め、基台の中央部において分割された状態の製造装置を準備して２台を製造し、設置の際、２台を突き合わせて連結具により一体に形成することにより対応できる。その結果、製造装置も小型ですみ、製造、運搬及び設置作業時等における取り扱いが容易となる。
【００２３】
また、本発明に係る機器設置用構造体は、前記各スライド用溝の内部にガイドレールを埋設することが好ましい（請求項４）。前記構成により、前記各ボルトの締め付け時における各スライド用溝の強度を向上させることができ、各スライド用溝の破損を防止することができる。さらに前記それぞれのボルトの移動が滑らかになりその位置調整が容易となる。なお、ガイドレールとして前記各スライド用溝の内部形状に沿ったプラスチックなどの樹脂あるいは金属が用いられ、コンクリート製の基台及びスライド基盤の場合には製造時に埋設させられる。
【発明の効果】
【００２４】
本発明によれば、各種の屋外ユニット設置のためにそれぞれの専用品を準備する必要がなく、様々な住宅付帯設備機器の屋外ユニットの設置に使用でき、経済的であるとともに、各種の屋外ユニットの設置作業を迅速に行うことができる。
【図面の簡単な説明】
【００２５】
【図１】本発明の一実施例を示し全体斜視図である。
【図２】基台に対するスライド基盤の固定状態を示す断面図である。
【図３】スライド基盤に対する屋外ユニットの脚部等の固定状態を示す断面図である。
【図４】基台の連結ボルトの一部省略断面図である。
【図５】本発明の他の一実施例を示す斜視図である。
【発明を実施するための形態】
【００２６】
図１は、本発明の一実施例を示す全体斜視図であり、基台１と二つの嵩上げ用基台２とを重合一体化した状態である。なお、基台１及び嵩上げ用基台２はいずれもコンクリート製とすることが好ましい。また、二つの嵩上げ用基台２は基台１と同様の形状に加工されてもよく、基台１と同じ大きさの無垢のコンクリートブロックであってもよい。
【００２７】
前記基台１には、図１及び図２に示すように、内部にプラスチックあるいは金属からなるガイドレール４が埋設され、該ガイドレールの内部に頭部５ａが格納されて雄ねじ部５ｂが上面に突出するボルト５のスライド用溝３が複数及び平行に形成される。
【００２８】
該スライド用溝３は、内部３ａが前記ボルト５の頭部５ａを格納及びスライド可能な幅に形成され、上部の開口部が前記ボルト５の雄ねじ部５ｂがスライド可能な小幅に形成される。前記構成により、前記ボルト５は上方への抜脱が阻止される。図中、６はボルト５の上方への抜脱を阻止するワッシャである。
【００２９】
なお、前記ボルト５は後述するスライド基盤７をガイド及び固定するため前記スライド用溝３内にそれぞれ適数設けられる。
【００３０】
また、前記基台１の上面から前記ボルト５の雄ねじ部５ｂが突出する長さは、後に述べるスライド基盤７に設けられた貫通孔８に挿通され、さらにスライド基盤７の固定用ナット９を螺合して前記スライド基盤７を固定できる長さであり、かつ、前記スライド基盤７の上面よりも突出しない長さとすることが好ましい。
【００３１】
図面実施例の場合、前記ボルト５の雄ねじ部５ｂの長さは前記スライド基盤７の上面までとされ、平ワッシャ１０及びスプリングワッシャ１１を介して前記固定用ナット９を螺合しても前記スライド基盤７の上面より突出しないように構成されている。したがって、ボルト５の雄ねじ部５ｂが前記スライド基盤７の上面に支持及び固定される屋外ユニットの脚部等の設置時に邪魔になることがない。
【００３２】
つぎに、基台１の上面に該上面のスライド用溝３と直交する方向に平行に載置されたスライド基盤７には前記基台１のそれぞれのスライド用溝３に設けられたボルト５の雄ねじ部５ｂの貫通孔８が形成されている。
【００３３】
さらに、前記スライド基盤７には、図３に示すように、頭部１２ａが内部１３ａに格納されて雄ねじ部１２ｂが上面に突出するボルト１２のスライド用溝１３が前記基台１のスライド用溝３と直交する方向に形成される。なお、図面実施例では、前記スライド基盤７のスライド用溝１３はそれぞれ三つに分割して形成されている(図１参照)が、スライド基盤7がコンクリート製の場合は、両端部まで貫通する構造としてもよい。
【００３４】
図中、１４は、屋外ユニットの脚部であり、該屋外ユニットの脚部１４は、平ワッシャ１５、スプリングワッシャ１６を介して前記ボルト１２の雄ネジ部１２ｂに螺合する固定用ナット１７で固定されている。
【００３５】
図中、１８は基台１と嵩上げ用基台２とを重合一体化するためのボルト貫通孔であり、基台１の複数個所に設けられ、嵩上げ用基台２の対応する位置にも同様のボルト貫通孔１８が設けられている（図４参照）。
【００３６】
さらに、前記基台１の中央部に、前記スライド基盤７の厚さに合わせた高さの中央支持部１９が一体に形成されている。この中央支持部１９は屋外ユニットが大型且つ重量を有する場合に前記スライド基盤７とともに重量を有する屋外ユニットを支持する。
【００３７】
図４には前記基台１と嵩上げ用基台２とを重合一体化するための連結ボルトが示されている。図中、２０はボルト、２１はボルトネジ部、２２は高ナット、２３はネジ棒、２４は回り止めナット、２５はそれぞれ平ワッシャ、２６はそれぞれスプリングワッシャであり、前記貫通孔１８内に上下方向からセットされる。
【００３８】
図５は、本発明の他の一実施例を示す斜視図である。この一実施例は、前記一実施例の前記基台１の中央部において均等に２分割した状態で製造し、その後、突き合わせて連結具２７により一体連結したものである。
【００３９】
この実施例では、基台１を均等に２分割した状態で製造が行われ、分割製造された基台１a及び１ｂそれぞれは同形であり、したがって製造装置は、目的とする機器設置用構造体の製造装置の２分の１の大きさで足りる。その他、製造、運搬及び設置作業時における取り扱いが容易である。なお、図１と同一部分には同一の符号を付す。
【００４０】
また、前記連結具２７を使用した基台の一体連結は、該連結具２７の両端の固定ボルト２８を締め付けると前記基台同士が引き寄せられて緊密一体化構造となる手段が採用されている。もっとも、前記基台同士の緊密一体構造のための連結具は他の構成及び手段であってもよい。
【００４１】
前記構成の本発明は、まず、住宅付帯設備の屋外ユニットの設置場所が砕石などを敷設等して地固めされる。そして地固め完了地に前記基台１及び必要とする嵩上げ用基台２が一体にして配置される。
【００４２】
つぎに前記基台１の上面に突出するボルト５のそれぞれの雄ねじ部５ｂに、該基台１の上面に平行に載置されたスライド基盤７に形成されたそれぞれの貫通孔８が適合させられ、前記スライド基盤７が前記スライド用溝３に沿って屋外ユニットの一方向の脚部の間隔位置に移動させられる。そして前記ボルト５の雄ねじ部５ｂに平ワッシャ１０、スプリングワッシャ１１を介して前記固定用ナット９を螺合及び締め付けてスライド基盤７が基台１上に固定させられる。
【００４３】
つぎに、スライド基盤７のボルト１２をスライド用溝に１３に沿って屋外ユニットに設けられた他方向の脚部の間隔位置に移動させられる。その後、前記ボルト１２の雄ねじ部１２ｂと屋外ユニットの脚部１４を適合させて平ワッシャ１５、スプリングワッシャ１６を介して前記雄ねじ部１２ｂに固定用ナット１７を螺合して固定すればよい。
【産業上の利用可能性】
【００４４】
本発明は、各種の屋外ユニットの設置のために専用品を準備する必要がなく、様々な住宅付帯設備機器の屋外ユニットの設置に使用でき、経済的であるとともに、設置作業を迅速に行うことができ極めて有用である。
【符号の説明】
【００４５】
１、  １a、１ｂ   基台
２    嵩上げ用基台
３    スライド用溝
４    ガイドレール
５    ボルト
６    ワッシャ
７    スライド基盤
８    貫通孔
９    固定用ナット
１２  ボルト
１３  スライド用溝
１７  固定用ナット
１８  貫通孔
【図１】
0006412371.tif 000002
【図２】
0006412371.tif 000003
【図３】
0006412371.tif 000004
【図４】
0006412371.tif 000005
【図５】
0006412371.tif 000006